(57)【要約】      （修正有）【課題】  除電装置の掃除を自動的に行うメンテナンスフリーの除電装置を提供する。【解決手段】    除電装置の構成として、除電のためにイオンを発生する放電針１６と、放電針が発生したイオンを外部に放出するための少なくとも１つの開口１２ａを有し、かつ放電針を掃除するためのブラシ１２ｂが設けられた第１円筒体１２と、第１円筒体の内部に回転可能に配置された第２円筒体１４と、放電針と第２円筒体を第２円筒体の軸線を中心に回転させて第１円筒体のブラシで放電針を擦ることにより放電針の掃除を行う放電針回転機構１８と、を設ける。そして、制御装置の制御に基づいて、掃除動作を周期的に行なう。【選択図】  図３
2007280701.tif 000002
【特許請求の範囲】
【請求項１】
除電のためにイオンを発生する少なくとも１つの放電針と、
該放電針が発生したイオンを外部に放出するための少なくとも１つの開口を有し、かつ放電針を掃除するためのブラシが設けられた第１円筒体と、
該第１円筒体の内部に回転可能に配置された第２円筒体と、
前記放電針と前記第２円筒体を第２円筒体の軸線を中心に回転させて前記第１円筒体の前記ブラシで前記放電針を擦ることにより前記放電針の掃除を行う放電針回転機構と、
を有することを特徴とする除電装置。
【請求項２】
複数の放電針が第２円筒体内で第２円筒体の軸線方向に配置されていることを特徴とする請求項１記載の除電装置。
【請求項３】
前記放電針の掃除後に前記第２円筒体内で浮遊する埃をフィルタに集め、清浄空気を外部に放出するためにフィルタに向けて吸気するフィルタ付きファンと、
前記放電針、前記放電針回転機構、および前記フィルタ付きファン、および（または）放電針に電力を供給する電源と、
をさらに有することを特徴とする請求項１または２に記載の除電装置。
【請求項４】
前記第２円筒体は、除電のためのイオン発生時の回転位置において第１円筒体の前記開口に整列するイオン放出開口と、放電針掃除時の回転位置において第２円筒体内への外気の吸入のために前記第１円筒体の１つの開口と整列する外気吸入開口と、を有することを特徴とする請求項１〜３のいずれか１つに記載の除電装置。
【請求項５】
前記第２円筒体の外気吸入開口は前記フィルタ付きファンの位置とは反対側端部にある第１円筒体の開口と整列するように設けられていることを特徴とする請求項４に記載の除電装置。
【請求項６】
前記第２円筒体の放電針掃除時の回転位置において、前記第２円筒体の前記外気吸入開口と整列する第１円筒体の開口以外の開口に対して第２円筒体が閉じる部分を有することを特徴とする請求項４に記載の除電装置。
【請求項７】
前記放電針の掃除は予め決められたプログラム、外部からの指示、または放電針の汚れ感知センサの指示に従って行うことを特徴とする請求項１〜６項のいずれか１つに記載の除電装置。
【請求項８】
前記プログラムは暦日カレンダデータと、掃除をする周期データと、掃除をする時刻データの少なくとも１つを持ち、これらのデータに従って前記プログラムが実行されることを特徴とする請求項７に記載の除電装置。
【請求項９】
前記放電針回転機構と、前記電源と、前記フィルタ付きファンとが前記第１円筒体の片方の端部に配置されていることを特徴とする請求項３に記載の除電装置。
【請求項１０】
前記放電針回転機構と、前記電源とが前記第１円筒体の片方の端部に配置され、前記フィルタ付きファンが前記第１円筒体の他の端部に配置されていることを特徴とする請求項３に記載の除電装置。
【請求項１１】
除電のためにイオンを発生する少なくとも１つの放電針と、
該放電針が発生したイオンを外部に放出するための開口を有するボックス型のハウジングと、
前記放電針に付着した埃を払うブラシを放電針に対して揺動するように前記ハウジングに取り付けられたブラシ駆動部と、
前記開口を通して外部から空気を取り入れて放電針から払われて浮遊している埃をフィルタで除去して外部に清浄な空気として排気する第１のフィルタ付きファンと、
を有することを特徴とする除電装置。
【請求項１２】
外部から埃を除去してハウジング内に空気を取り入れて放電針に向けて送風する第２のフィルタ付きファンをさらに有することを特徴とする請求項１１記載の除電装置。
【請求項１３】
前記第１のフィルタ付きファンに代えて、除電時に、外部から埃を除去してハウジング内に空気を取り入れて放電針に向けて送風するとともに、放電針の掃除時に、外部から前記開口を通して空気を取り入れて放電針から払われて浮遊している埃をフィルタで除去して外部に清浄な空気として排気するように送風方向が切替えられるように構成されたフィルタ付き吸引兼送風ファンを有することを特徴とする請求項１１記載の除電装置。
【請求項１４】
前記送風方向の向きの切替が、ハウジング内での送風の流路を切替えることによって行なわれることを特徴とする請求項１３記載の除電装置。
【請求項１５】
前記送風方向の向きの切替が、ハウジング内での吸引兼送風ファンの向きを切替えることによって行なわれることを特徴とする請求項１３記載の除電装置。
【請求項１６】
前記放電針の掃除は、予め決められたプログラム、外部からの指示、または放電針の汚れ感知センサの指示に従って行なうことを特徴とする請求項１１〜１５のいずれか１つに記載の除電装置。
【請求項１７】
除電のためにイオンを発生する放電針と、該放電針を周期的に掃除（クリーニング）する掃除手段を有する除電装置において、
前記放電針の掃除を行なうための周期データに基づいてクリーニング日を計算するクリーニング日計算手段と、
カレンダの日にちと前記クリーニング日計算手段で計算された日にちとを比較してクリーニング日を判定する該当日判定手段と、
前記該当日判定手段で該当日と判定されたとき、時刻指定データと時計の時刻を比較してクリーニングの開始を判定する開始判定手段と、
前記開始判定手段が該当時刻であると判定して開始指示したとき、または外部からの指示、または放電針の汚れ感知センサからの指示で、前記掃除手段を駆動してクリーニングを実施するクリーニング実施手段と、
を有することを特徴とする除電装置。
【発明の詳細な説明】
【技術分野】
【０００１】
本発明は除電装置（静電気除去装置）に関し、特に、メンテナンスフリー除電装置に関する。
【背景技術】
【０００２】
従来の除電装置は、放電針の掃除は手動で行うものが主流であった。発明者が提案したモータを用いた自動型もあるが、この場合、払った挨の回収はできなかった。また手動式で掃除をする場合は、真空掃除機のホースを接続し、払った埃を吸引しながら手動で放電針を掃除する方式が提案されている。
【発明の開示】
【発明が解決しようとする課題】
【０００３】
しかしながら、完全に自動で放電針の掃除を行い、その際飛散する挨の回収も自動で行うメンテナンスフリーの除電器は存在しなかった。
【０００４】
そのため、除電器のユーザーは、定期的なメンテナンスが必須であったが、わずらわしさのため、実際にはメンテナンスは行われず、除電器の性能が発揮できていないケースが大半であった。
【課題を解決するための手段】
【０００５】
本発明の除電装置は、除電のためにイオンを発生する少なくとも１つの放電針と、該放電針が発生したイオンを外部に放出するための少なくとも１つの開口を有し、かつ放電針を掃除するためのブラシが設けられた第１円筒体と、該第１円筒体の内部に回転可能に配置された第２円筒体と、前記放電針と前記第２円筒体を第２円筒体の軸線を中心に回転させて前記第１円筒体の前記ブラシで前記放電針を擦ることにより前記放電針の掃除を行う放電針回転機構と、を有することを特徴とする。
【０００６】
本発明の除電装置は、除電のためにイオンを発生する少なくとも１つの放電針と、該放電針が発生したイオンを外部に放出するための開口を有するボックス型のハウジングと、前記放電針に付着した埃を払うブラシを放電針に対して揺動するように前記ハウジングに取り付けられたブラシ駆動部と、前記開口を通して外部から空気を取り入れて放電針から払われて浮遊している埃をフィルタで除去して外部に清浄な空気として排気する第１のフィルタ付きファンと、を有することを特徴とする。
【０００７】
また、本発明の除電装置は、除電のためにイオンを発生する放電針と、該放電針を周期的に掃除（クリーニング）する掃除手段を有する除電装置において、前記放電針の掃除を行なうための周期データに基づいてクリーニング日を計算するクリーニング日計算手段と、
カレンダの日にちと前記クリーニング日計算手段で計算された日にちとを比較してクリーニング日を判定する該当日判定手段と、前記該当日判定手段で該当日と判定されたとき、時刻指定データと時計の時刻を比較してクリーニングの開始を判定する開始判定手段と、
前記開始判定手段が該当時刻であると判定して開始指示したとき、または外部からの指示、または放電針の汚れ感知センサからの指示で、前記掃除手段を駆動してクリーニングを実施するクリーニング実施手段と、を有することを特徴とする。
【発明の効果】
【０００８】
本発明によれば、従来は不可避であった除電器のメンテナンス作業を省略できる。特に自動化された無人工場ではメイテナンス作業を不要にできなければ意味の無いものである。本来の工程を無人化または自動化しても、メンテナンス等の付帯的な作業が残っていては意味の無いものである。実際の工場では本来の製造作業に大半の時間を費やしており、メンテナンス等の付帯的な作業に時間を割く余裕はない。この結果、除電器のメンテナンスは最も嫌われる作業で、未だに解決していない問題であった。本発明は、この残された問題を解決するものである。
【発明を実施するための最良の形態】
【０００９】
本発明の除電装置は、除電のためにイオンを発生する少なくとも１つの放電針と、該放電針が発生したイオンを外部に放出するための少なくとも１つの開口を有し、かつ放電針を掃除するためのブラシが設けられた第１円筒体と、該第１円筒体の内部に回転可能に配置された第２円筒体と、前記放電針と前記第２円筒体を第２円筒体の軸線を中心に回転させて前記第１円筒体の前記ブラシで前記放電針を擦ることにより前記放電針の掃除を行う放電針回転機構と、を有するものである。
【００１０】
また、本発明の除電装置は、除電のためにイオンを発生する少なくとも１つの放電針と、該放電針が発生したイオンを外部に放出するための開口を有するボックス型のハウジングと、前記放電針に付着した埃を払うブラシを放電針に対して揺動するように前記ハウジングに取り付けられたブラシ駆動部と、前記開口を通して外部から空気を取り入れて放電針から払われて浮遊している埃をフィルタで除去して外部に清浄な空気として排気するフィルタ付きファンと、を有するものである。
【００１１】
さらにまた、本発明の除電装置は、除電のためにイオンを発生する放電針と、該放電針を周期的に掃除（クリーニング）する掃除手段を有する除電装置において、前記放電針の掃除を行なうための周期データに基づいてクリーニング日を計算するクリーニング日計算手段と、カレンダの日にちと前記クリーニング日計算手段で計算された日にちとを比較してクリーニング日を判定する該当日判定手段と、前記該当日判定手段で該当日と判定されたとき、時刻指定データと時計の時刻を比較してクリーニングの開始を判定する開始判定手段と、前記開始判定手段が該当時刻であると判定して開始指示したとき、または外部からの指示、または放電針の汚れ感知センサからの指示で、前記掃除手段を駆動してクリーニングを実施するクリーニング実施手段と、を有するものである。
（実施例１）
図１は、本発明の実施例１のイオン放出時の除電装置（バータイプ除電装置）を説明するための正面図である。図２は、本発明の実施例１の放電針掃除（クリーニング）時の除電装置を説明するための正面図である。図３は、本発明の実施例１の放電針掃除（クリーニング）時の除電装置を説明するための断面図である。図４は、本発明のイオン放出時のイオン放出および放電針掃除時の外気吸入を説明するための断面図であり、図４ａは図１の線４（ａ）−４（ａ）での拡大断面図であり、図４ｂは図２の線４（ｂ）−４（ｂ）での拡大断面図であり、図４ｃは図３の線４（ｃ）−４（ｃ）での拡大断面図である。
【００１２】
図１〜図４において、除電装置１０は固定の円筒状ハウジング（第１円筒体）１２と、放電針１６の掃除用に設けられた、第１円筒体１２の内部に回転可能に配置された内側円筒体（第２円筒体）１４を有する。これらの円筒体１２、１４の一方の端部は蓋２６によって閉じられており、他方の端部には、第２円筒体１４を回転駆動する駆動部本体１８ａを持つ駆動部（放電針回転機構）１８、電源本体２０ａを持つ電源２０、フィルタ２４付きのファン２２が配置されている。なお、放電針１６には、放電針の汚れを感知して汚れの程度に応答して放電針の掃除の時期を指示する汚れ感知センサ（図示せず）が必要に応じて設けられている。
【００１３】
第１円筒体１２には、放電針１６によって発生されるイオン２８を外方に放出するための開口１２ａが第１円筒体１２に沿って一列に形成されている。また、第２円筒体１２には、第２円筒体１４の放電針掃除の回転位置において、放電針１６を擦って埃３０を放電針１６から払い取るブラシ１２ｂが設けられている（図４ｂ、図４ｃ参照）。
【００１４】
第２円筒体１４には、図４ａで示すように、イオン発生時の回転位置において、第１円筒体１２の開口１２ａと整列するイオン放出開口１４ｃが形成されており、このため、第２円筒体１４内に設けられた放電針１６で発生したイオン２８は開口１２ａ、１４ｃを通って外方に放出される。さらに、第２円筒体１４には、図４ｂに示すように、放電針掃除時の回転位置において、第１円筒体１２の１つの開口１２ａを除いて他の開口１２ａを閉じる部分１４ｂが形成されている。さらに、第２円筒体１４には、図４ｃに示すように、
第１円筒体の１つの開口（図１の実施例では、蓋２６に隣接した開口）と整列する外気吸入開口１４ａが形成されており、外気はこれらの開口を通って第２円筒体１４の内部に吸入される。
【００１５】
次に、放電針による除電動作と放電針の掃除（クリーニング）動作を説明する。除電動作の場合には、放電針回転機構１８により、放電針と第２円筒体１４は図４ａ（図１）の回転位置にもたらされている。この状態で、電源２０から放電針１６に電力を供給が供給され、放電針１６は除電のためのイオン２８を発生する。
【００１６】
放電針１６の掃除動作の場合には、放電針回転機構１８によって第２円筒体１４が除電時の図４ａ（図１）の回転位置から放電針掃除のための図４ｂ、図４ｃ（図２、図３）の回転位置にもたらされる。このとき、放電針１６に付着していた埃３０はブラシ１２ｂによって払い落とされ浮遊状態になる。この状態で、電源２０からフィルタ付きファンのファン２２に電力が供給される。これによって、外気が第１円筒体１２の開口１２ａと第２円筒体１４の外気吸入開口１４ａだけを通り第２円筒体１４の内部に吸引され、浮遊している埃３０は吸引された外気とともに第２円筒体１４の内部でフィルタ２４に向かって運ばれる。フィルタ２４は埃３０を集め、清浄な空気だけを外部に放出する。
（実施例２）
図５は、本発明の実施例２の放電針掃除（クリーニング）時の除電装置を説明するための断面図である。本発明の実施例２の実施例２では、フィルタ付きファン２２が駆動部１８、電源２０とは反対端部において第１円筒体１２、第２円筒体１４に設けられたものである。除電動作、掃除動作は実施例１と同様である。
（実施例３）
図６は、本発明の実施例３の放電針掃除（クリーニング）時の除電装置を説明するための断面図である。実施例３では、フィルタ付きファン２２が駆動部１８に隣接して設けられているものである。除電動作、掃除動作は実施例１と同様である。
（実施例４）
今まで説明してきた実施例１〜３では、除電装置のハウジングがバータイプ（棒状）のものであったが、実施例４以降の実施例では、ハウジングがボックスタイプの除電装置に向けられたものであり、さらに、これらのボックスタイプの除電装置を、イオンの噴射にファンによる送風を使用せずにクーロンの反発力だけを使用するタイプ（無風除電）と、クーロンの反発力に加えて、イオンの噴射にファンによる送風を使用するタイプ（有風除電）に分けて説明する。
【００１７】
図９は本発明の実施例４の除電装置（ボックス型無風除電装置）を説明するための図であり、図９ａは除電装置の正面図であり、図９ｂは除電装置の断面図である。図９において、除電装置５０はボックス型のハウジング５２を有し、その正面（前面）には、ハウジング５２内に配置された放電針５４からの発生されるイオンを外方に噴射させるための円形開口５２ａが形成されている。放電針５４は、複数個配置されており、この実施例では、６個の放電針５４が円周上に配置されている。なお、放電針５４には、放電針の汚れを感知して汚れの程度に応答して放電針の掃除の時期を指示する汚れ感知センサ（図示せず）が必要に応じて設けられている。
【００１８】
放電針５４を掃除するために、放電針のそれぞれに対してブラシ５６が配置されており、これらのブラシ５６はアーム５８の先端に設けられており、各アーム５８は、放電針の中心位置でハウジングの前面部分５２ｂに取り付けられたアーム揺動機構（ブラシ駆動部）６０に取り付けられている。このブラシ駆動部６０は、矢印で示すように所定の角度範囲内でアーム５８を揺動させて、放電針５４に付着した埃を放電針５４から剥がす。一方、ハウジング５２の後部部分５２ｃには、フィルタ６２付き吸引ファン６４が取り付けられている。
【００１９】
除電の際には、図９ａに示す位置にアーム５８がもたらされており、すなわち、ブラシ５６がこの位置にもたらされており、放電針５４に電源（図示せず）からの給電により、イオンが発生されて、除電が行なわれる。掃除の際には、ブラシ駆動部６０が作動させられ、放電針５４から埃を剥がして浮遊させる。このブラシ駆動部６０の作動と同時に、フィルタ６２付き吸引ファン６４が作動させられ、点線の矢印で示すように外気により浮遊している埃を吸引ファン６４に向けて吸引して、さらに点線の矢印で示すように埃を除去した清浄な空気をハウジング５２の外に出す。
（実施例５）
図１０は本発明の実施例５の除電装置（ボックス型有風除電装置）を説明するための断面図である。なお、図１０では、図示の便宜上、図９で示したブラシ、アーム、ブラシ駆動部を省略している。図１０において、フィルタ６２付き吸引ファン６４に加えて、フィルタ６６付き送風ファン６８がハウジング５２の後部部分５２ｃに取り付けられている。
【００２０】
除電の際には、放電針５４によるイオンの噴射ととともに、フィルタ６６付き送風ファン６８が作動させられ、実線の矢印で示すように外気から清浄な空気を取り入れて、放電針５４に向けて送風を行い、噴射したイオンをより遠方に飛ばす。掃除の際には、送風ファン６８は停止させられ、シャッター６９が閉じて空気の流れを遮断し、実施例４と同様に吸引ファン６４だけが作動され、放電針５４からの埃の除去が行なわれる。
（実施例６）
図１１は本発明の実施例６の除電装置（ボックス型有風除電装置）を説明するための断面図であり、図１１ａは掃除時の除電装置の内部状態を示し、図１１ｂは放電時の除電装置の内部状態を示す。なお、図１１では、図示の便宜上、図９で示したブラシ、アーム、ブラシ駆動部を省略している。図１１において、実施例５の吸引ファンと送風ファンに代えて、１つのフィルタ７０付きファン７２がハウジング５２の後部部分５２の内側に設けられており、このファンは吸引兼送風ファンとして用いられる。
【００２１】
ファン７２を吸引兼送風ファンとして用いるために、除電時と掃除時のファンに至る空気の流路が切替えられる。すなわち、図１１ａで示す掃除時には、弁７４、７６が上方位置にもたらされており、ファン７２は吸引ファンとして働き、点線の矢印で示すように、ハウジング５２の開口５２ａから外部の空気が吸引され、フィルタ７０、ファン７２を通され、開口５２ｅに排気される。一方、図１１ｂで示す除電時には、弁７４、７６が下方位置にもたらされており、ファン７２は送風ファンとして働き、実線の矢印で示すように、ハウジング５２の開口５２ｄから外部の空気が取り込まれ、フィルタ７０、ファン７２を通され、放電針５４に向けて送られて開口５２ａを通して排気される。
（実施例７）
図１２は本発明の実施例７の除電装置（ボックス型有風除電装置）を説明するための断面図であり、図１２ａは掃除時の除電装置の内部状態を示し、図１２ｂは放電時の除電装置の内部状態を示す。なお、図１２では、図示の便宜上、図９で示したブラシ、アーム、ブラシ駆動部を省略している。図１２において、実施例６と同様に、フィルタ７０付き吸引兼送風ファン７２が用いられている。ファン７２はハウジング５２の後部部分５２ｃと仕切り壁５２ｆとの間に回転軸線７２ａを中心として回転するように取り付けられている。
【００２２】
この実施例では、ファン７２からの送風方向を切替えるために、ファン７２は回転軸線７２ａを中心に回転させられる。すなわち、図１２ａで示す掃除時には、ファン７２の上方にフィルタ７０が位置決めされ、ファン７２は風を下方に送風し、ファン７２は吸引ファンとして働き、点線の矢印で示すように、ハウジング５２の開口５２ａから外部の空気が吸引され、フィルタ７０、ファン７２を通され、開口５２ｅに排気される。一方、図１２ｂで示す除電時には、ファン７２の下方にフィルタ７０が位置決めされ、ファンは風を上方に送風し、ファン７２は送風ファンとして働き、実線の矢印で示すように、ハウジング５２の開口５２ｅから外部の空気が取り込まれ、フィルタ７０、ファン７２を通され、放電針５４に向けて送られて開口５２ａを通して排気される。
（実施例８）
実施例８では、実施例１〜７の除電装置は、前述した放電針回転機構またはアーム揺動機構（ブラシ駆動部）と、フィルタ付きファン（送風ファンまたは吸引兼送風ファン）を周期的に動作させて、または外部の指示、または、放電針の汚れ感知センサの指示で掃除動作を行なう制御装置（図示せず）が設けられている。
【００２３】
図７は本発明のプログラムに基づく除電動作および掃除動作の動作制御のタイミングを説明するための図である。図７において、除電装置は通常は除電動作を行なっている。制御装置の制御に基づいて、放電針掃除のために、第１回目の掃除（クリーニング）が開始される。このとき、掃除のための周期データおよび時刻データが入力され、実際の日にち、時刻と比較され、その該当日の時刻になると、クリーニングが再開され、以下同様に、一定周期でクリーニングが実施される。
【００２４】
図８は制御装置による掃除動作を説明するためのフローチャートである。最初に第１回のクリーニングが行なわれる（ステップＳ１０）。周期データが入力されクリーニング日が計算される（ステップＳ１２）。その後、計算されたクリーニング日とカレンダから入力される日にちと比較され、該当日であるか否か判定され、該当日になるまで待つ（ステップＳ１４）。該当日になると、入力された時刻指定データと入力される時計の時刻を比較し時刻合致まで待ち(ステップＳ１６)、合致したときクリーニングを実施し（ステップＳ１８）、再びステップＳ１２に戻り、以下同様にして一定周期ごとにクリーニングを繰り返す。
【００２５】
なお、クリーニングの実施（ステップＳ１８）は、外部からの指示または放電針の汚れ感知センサの指示に従っても行なわれる。例えば、プログラムに従って周期的に掃除動作を行なっているとき、外部から指示を受けた場合、プログラムに割り込みが行なわれ、または周期的な掃除動作の間の放電時に汚れ感知センサが汚れを感知して掃除時期に至ったと判断した場合には、プログラムに割り込みが行なわれ、掃除動作が実施される。
【００２６】
その後、長時間が経過し、オーバーホールのタイミングになったら、警報を出して知らせるようにしても良い（図では省略）。
【図面の簡単な説明】
【００２７】
【図１】本発明の実施例１のイオン放出時の除電装置を説明するための正面図である。
【図２】本発明の実施例１の放電針掃除（クリーニング）時の除電装置を説明するための正面図である。
【図３】本発明の実施例１の放電針掃除（クリーニング）時の除電装置を説明するための断面図である。
【図４】本発明のイオン放出時のイオン放出および放電針掃除時の外気吸入を説明するための断面図であり、図４ａは図１の線４（ａ）−４（ａ）での拡大断面図であり、図４ｂは図２の線４（ｂ）−４（ｂ）での拡大断面図であり、図４ｃは図３の線４（ｃ）−４（ｃ）での拡大断面図である。
【図５】本発明の実施例２の放電針掃除（クリーニング）時の除電装置を説明するための断面図である。
【図６】本発明の実施例３の放電針掃除（クリーニング）時の除電装置を説明するための断面図である。
【図７】本発明の除電動作および掃除動作の動作制御のタイミングを説明するための図である。
【図８】掃除動作を説明するためのフローチャートである。
【図９】本発明の実施例４の除電装置（ボックス型無風除電装置）を説明するための図であり、図９ａは除電装置の正面図であり、図９ｂは除電装置の断面図である。
【図１０】本発明の実施例５の除電装置（ボックス型有風除電装置）を説明するための断面図である。
【図１１】本発明の実施例６の除電装置（ボックス型有風除電装置）を説明するための断面図であり、図１１ａは掃除時の除電装置の内部状態を示し、図１１ｂは放電時の除電装置の内部状態を示す。
【図１２】本発明の実施例７の除電装置（ボックス型有風除電装置）を説明するための断面図であり、図１２ａは掃除時の除電装置の内部状態を示し、図１２ｂは放電時の除電装置の内部状態を示す。
【符号の説明】
【００２８】
１０  除電装置
１２  第１円筒体（ハウジング）
１４  第２円筒体
１６  放電針
１８  駆動部（放電針回転機構）
２０  電源
２２  ファン
２４  フィルタ
１２ｂ  ブラシ
２８  イオン
３０  埃
５０  除電装置
５２  ハウジング
５４  放電針
５６  ブラシ
６４  ファン
６８  ファン
７２  ファン
【図１】
2007280701.tif 000003
【図２】
2007280701.tif 000004
【図３】
2007280701.tif 000005
【図４】
2007280701.tif 000006
【図５】
2007280701.tif 000007
【図６】
2007280701.tif 000008
【図７】
2007280701.tif 000009
【図８】
2007280701.tif 000010
【図９】
2007280701.tif 000011
【図１０】
2007280701.tif 000012
【図１１】
2007280701.tif 000013
【図１２】
2007280701.tif 000014